(57)【要約】【課題】  音楽再生中に画像を撮影した場合、再生中の音楽と撮影した画像を自動的に関連付ける。【解決手段】  記憶部１５は画像ファイルや音ファイル、音楽ファイルを管理するためのデータベース等からなる音ファイル管理リスト１６と画像ファイルを管理するためのデータベース等からなる画像ファイル管理リスト１７を有する。CPU１０はファイル管理部１３を通して記憶部１５にアクセスを行い、ファイル関連付け部１４で画像ファイルと音ファイル、音声ファイルを関連付ける。【選択図】  図１
2006020090.tif 000002
【特許請求の範囲】
【請求項１】
画像ファイルと音ファイルとを記憶する記憶部と、
音を出力する音出力部と、
画像を撮影する撮影部と、
撮影した前記画像と、前記記憶部に記憶されている前記画像ファイルと前記音ファイルを管理し、読み書きを実行するファイル管理部と、
前記記憶部に記憶された前記音ファイルを再生中に前記画像を撮影した場合は、再生中の前記音ファイルと撮影した前記画像を関連付けるファイル関連付け部と
を有することを特徴とした情報再生装置。
【請求項２】
前記ファイル関連付け部は、
複数の前記音ファイルを音ファイル群として関連付け、再生中の前記音ファイルが含まれる前記音ファイル群と、撮影した前記画像ファイルを関連付ける
ことを特徴とした請求項１に記載の情報再生装置。
【請求項３】
画像ファイルと音ファイルを記憶する記憶部と、
前記音ファイルに基づく音を出力する音出力部と、
前記画像ファイルに基づく画像を出力する画像出力部と、
前記記憶部に記憶されている前記画像ファイルと前記音ファイルを管理し、読み書きを実行するファイル管理部と、
前記記憶部に記憶された前記音ファイルと前記画像ファイルの両方を再生した場合は、前記音ファイルと前記画像ファイルを関連付けるファイル関連付け部と
を有することを特徴とした音再生装置。
【請求項４】
前記ファイル関連付け部は、
複数の前記画像ファイルを画像ファイル群として関連付け、再生中の前記画像ファイルが含まれる前記画像ファイル群と、再生中の前記音ファイルを関連付ける
ことを特徴とした請求項３に記載の情報再生装置。
【請求項５】
前記ファイル関連付け部は、
複数の前記音ファイルを音ファイル群として関連付け、複数の前記画像ファイルを画像ファイル群として関連付け、再生中の前記画像ファイルが含まれる前記画像ファイル群と、再生中の前記音ファイルが含まれる前記音ファイル群を関連付ける
ことを特徴とした請求項１または３に記載の情報再生装置。
【請求項６】
前記音ファイル又は前記音ファイル群を管理する音ファイル管理部を有し、
前記音ファイル又は前記音ファイル群と、前記画像ファイル又は前記画像ファイル群との関連付けの管理を前記音ファイル管理部で行う
ことを特徴とした請求項５に記載の情報再生装置。
【請求項７】
前記音ファイル管理部は、音管理リストを生成し、該音管理リストにより前記音ファイル又は前記音ファイル群と、前記画像ファイル又は前記画像ファイル群との関連付けを管理する
ことを特徴とした請求項６に記載の情報再生装置。
【請求項８】
前記音ファイル管理部は、音管理データベースを構築し、該音管理データベースにより前記音ファイル又は前記音ファイル群と、前記画像ファイル又は前記画像ファイル群との関連付けを管理する
ことを特徴とした請求項６に記載の情報再生装置。
【請求項９】
前記画像ファイル又は前記画像ファイル群を管理する画像ファイル管理部を有し、
前記音ファイル又は音ファイル群と、前記画像ファイル又は前記画像ファイル群との関連付けの管理を前記画像ファイル管理部で行う
ことを特徴とした請求項５に記載の情報再生装置。
【請求項１０】
前記画像ファイル管理部は、画像管理リストを生成し、該画像管理リストにより前記音ファイル又は前記音ファイル群と、前記画像ファイル又は前記画像ファイル群との関連付けを管理する
ことを特徴とした請求項９に記載の情報再生装置。
【請求項１１】
前記画像ファイル管理部は、画像管理データベースを構築し、該画像管理データベースにより前記音ファイル又は前記音ファイル群と、前記画像ファイル又は前記画像ファイル群との関連付けを管理する
ことを特徴とした請求項９に記載の情報再生装置。
【請求項１２】
前記音ファイル又は前記音ファイル群と、前記画像ファイル又は前記画像ファイル群を管理するファイル管理部を有し、
前記音ファイル又は音ファイル群と、前記画像ファイル又は前記画像ファイル群との関連付けの管理を前記ファイル管理部で行う
ことを特徴とした請求項５に記載の情報再生装置。
【請求項１３】
前記ファイル管理部は、管理リストを生成し、該管理リストにより前記音ファイル又は前記音ファイル群と、前記画像ファイル又は前記画像ファイル群との関連付けを管理する
ことを特徴とした請求項１２に記載の情報再生装置。
【請求項１４】
前記画像ファイル管理部は、管理データベースを構築し、該管理データベースにより前記音ファイル又は前記音ファイル群と、前記画像ファイル又は前記画像ファイル群との関連付けを管理する
ことを特徴とした請求項１２に記載の情報再生装置。
【請求項１５】
前記音ファイルは、
前記音ファイルの管理情報を記憶する音管理情報部を有し、
前記音ファイル又は前記音ファイル群と、前記画像ファイル又は前記画像ファイル群との関連付けの管理を前記音管理情報部で行う
ことを特徴とした請求項５に記載の情報再生装置。
【請求項１６】
前記音管理情報部は、管理リストを生成し、該管理リストにより前記音ファイル又は前記音ファイル群と、前記画像ファイル又は前記画像ファイル群との関連付けを管理する
ことを特徴とした請求項１５に記載の情報再生装置。
【請求項１７】
前記音管理情報部は、管理データベースを構築し、該管理データベースにより前記音ファイル又は前記音ファイル群と、前記画像ファイル又は前記画像ファイル群との関連付けを管理する
ことを特徴とした請求項１５に記載の情報再生装置。
【請求項１８】
前記画像ファイルは、
前記画像ファイルの管理情報を記憶する画像管理情報部を有し、
前記音ファイル又は前記音ファイル群と、前記画像ファイル又は前記画像ファイル群との関連付けの管理を前記画像管理情報部で行う
ことを特徴とした請求項５に記載の情報再生装置。
【請求項１９】
前記画像管理情報部は、管理リストを生成し、該管理リストにより前記音ファイル又は前記音ファイル群と、前記画像ファイル又は前記画像ファイル群との関連付けを管理する
ことを特徴とした請求項１８に記載の情報再生装置。
【請求項２０】
前記画像管理情報部は、管理データベースを構築し、該管理データベースにより前記音ファイル又は前記音ファイル群と、前記画像ファイル又は前記画像ファイル群との関連付けを管理する
ことを特徴とした請求項１８に記載の情報再生装置。
【請求項２１】
前記ファイル関連付け部は、前記記憶部に記憶された前記音ファイルを再生中に前記画像を撮影した場合は、再生中の前記音ファイルと撮影した前記画像を、撮影時の音ファイル再生位置情報を含めて、関連付ける
ことを特徴とした請求項１に記載の情報再生装置。
【発明の詳細な説明】
【技術分野】
【０００１】
本発明は、画像情報及び音情報を再生する情報再生装置に関する。
【背景技術】
【０００２】
従来のデジタルカメラ（DSC）においては、音声付静止画を撮影すると、画像ファイルと音声ファイルの２つが作成され、DCF準拠のデジタルカメラ（DSC）ならば、同じファイル名を付与することで関連付けられる。
【０００３】
一方、ホストコンピュータ（PC）上の画像アルバムでは、アルバム再生時にユーザが事前に関連付けた音楽ファイルを再生することができる。
【０００４】
また、例えば特開２００３−２０４５０６号公報等の画像入力装置においては、外部装置で作成し、画像入力装置に転送されてたフォーマットリストに従って、静止画、音声、動画、文字の入力を行うと、入力された文字と、静止画、音声及び動画のファイル名が記述されたファイルリストが作成されるものが開示されている。
【特許文献１】特開２００３−２０４５０６号公報
【発明の開示】
【発明が解決しようとする課題】
【０００５】
しかしながら、音声付静止画を撮影する場合、撮影時の音声という元々関連があるものを、ユーザが意識的にデジタルカメラ（DSC）のモード設定を行ってから、同時に撮影と録音を行って別々のファイルとして保存し、各々に同じファイル名を付けることで関連付けられるが、本来は別々の画像ファイルと音声ファイルを関連付けるものではない。また、関連付けるのにデジタルカメラ（DSC）のモード設定を行う必要がある。
【０００６】
また、ホストコンピュータ（PC）上の画像アルバムでは、アルバム作成時に、ユーザが意識的に関連付けの操作を行う必要がある。
【０００７】
さらに、特開２００３−２０４５０６号公報の画像入力装置においては、フォーマットリストに従って同時又は連続して入力された静止画、音声、動画、文字は出力されたフォーマットリストにより関連付けられるが、フォーマットリストに関係無く、時間的にも離れて入力されたものを関連付けることはできない。
【０００８】
本発明は、上記事情に鑑みてなされたものであり、音楽再生中に画像を撮影した場合、再生中の音楽と撮影した画像を自動的に関連付けることのできる情報再生装置を提供することを目的としている。
【０００９】
また、本発明のさらなる目的は、音楽を聞いている時に見た画像、又は画像を見ている時に聞いた音楽を、自動的に関連付けることのできる情報再生装置を提供することである。
【課題を解決するための手段】
【００１０】
本発明の情報再生装置は、
画像ファイルと音ファイルとを記憶する記憶部と、
音を出力する音出力部と、
画像を撮影する撮影部と、
撮影した前記画像と、前記記憶部に記憶されている前記画像ファイルと前記音ファイルを管理し、読み書きを実行するファイル管理部と、
前記記憶部に記憶された前記音ファイルを再生中に前記画像を撮影した場合は、再生中の前記音ファイルと撮影した前記画像を関連付けるファイル関連付け部と
を備えて構成される。
【発明の効果】
【００１１】
本発明によれば、音楽再生中に画像を撮影した場合、再生中の音楽と撮影した画像を自動的に関連付けることができるという効果がある。
【発明を実施するための最良の形態】
【００１２】
以下、図面を参照しながら本発明の実施例について述べる。
【実施例１】
【００１３】
図１ないし図７は本発明の実施例１に係わり、図１はデジタルカメラ（DSC）付Music Playerの構成を示すブロック図、図２は図１のデジタルカメラ（DSC）付Music Playerの背面の構成を示す図、図３は図１の記憶部のメモリ構成を示す図、図４は図１のCPUによる関連付け処理に用いられる音楽ファイル管理リストを示す図、図５は図１のCPUによる関連付け処理の流れを示すフローチャート、図６は図５の関連付け処理に用いられる音楽&画像ファイル管理リストを示す図、図７は図５の関連付け処理に用いられる関連付け画像ファイルリストを示す図である。
【００１４】
図１に示すように、本実施例のデジタルカメラ（DSC）付Music Player（以下、本装置と記す）１は、全体を制御するCPU１０と、プログラムを保持するROM１１と、プログラムの実行に必要なワークメモリRAM１２を有する。
【００１５】
また撮像部１９で撮影した画像ファイルとホストI/F２１を通しホストコンピュータ（PC）からダウンロードした画像ファイル、及びマイク２０で録音した音声ファイルとホストI/F ２１を通しホストコンピュータ（PC）からダウンロードした音楽ファイルを保存する記憶部１５を有する。
【００１６】
なお、記憶部１５はHDDやフラッシュメモリ等の固定記憶媒体でも良いし、SM（スマートメディア）やCF（コンパクトフラッシュ（R））等の交換可能型記憶媒体でも良い。
【００１７】
記憶部１５は上記画像ファイルや音ファイル、音楽ファイルを管理するためのデータベース等からなる音ファイル管理リスト１６と画像ファイルを管理するためのデータベース等からなる画像ファイル管理リスト１７を有する。
【００１８】
CPU１０はファイル管理部１３を通して記憶部１５にアクセスを行い、ファイル関連付け部１４で画像ファイルと音ファイル、音声ファイルを関連付ける。ファイル管理部１３とファイル関連付け部１４はROM１１に保存されているプログラムとして実行される。
【００１９】
更にLCD ２２やTV出力２３等の画像出力部と、スピーカ２４やイヤホン２５等の音出力部を有し、選択/決定ボダン１８を使用して、再生する画像ファイルや音楽ファイルを選択して再生することができる。
【００２０】
図２は本装置１の裏面図で、再生する音楽や画像を選択する場合に、音楽タイトル等や画像アルバムタイトルを表示するLCD２２と、選択/決定を行う選択/決定ボタン１８、画像撮影用のシャッタ２６、装置の電源状態を表示するPOWER LED２７がある。 LCD２２には画像の表示も行う。
【００２１】
図３は記憶部１５の構成例で、ホストコンピュータ（PC）からダウンロードした音楽ファイルを保存する音楽用フォルダMusic、ホストコンピュータ（PC）からダウンロードした画像ファイルを保存する画像用フォルダPhoto、撮像部１９で撮影した画像ファイルを保存するDCFに準拠した撮影画像保存用DCIMフォルダと、音楽ファイル管理リストMusic.lstや画像ファイル管理リストPhoto.lst、或いは音楽&画像ファイル管理リストMPFile.lstを有する。
【００２２】
ここで、撮像部１９で画像を撮影した時に同時に録音した音声ファイルは、DCFフォルダに保存される。 
Musicフォルダはアーティストとそのアルバム単位毎にフォルダを分けて各音楽ファイルが保存されていて、アルバムフォルダにはそのアルバムに関連付けられた画像ファイルを管理する関連付け画像ファイルリストが保存されている。
【００２３】
Photoフォルダはアルバム単位毎に各画像フォルダが保存されていて、アルバムフォルダにはそのアルバムに関連付けられた音楽ファイルを管理する関連付け音楽ファイルリストが保存されている。
【００２４】
本実施例では、音楽再生中に撮影した画像と、再生中の音楽が含まれる音楽アルバムを関連付ける。CPU１０による関連付けは音楽ファイル管理リストで行う。図４に音楽ファイル管理リストを示す。
【００２５】
図４において、<MUSIC>‥・<MUSIC:END>間では、音楽ファイルIDを宣言する。本実施例では４つの音楽ファイルを宣言している。本実施例では、ホストコンピュータ（PC）からダウンロードしたArtist1というアーティストのMAlbum1というアルバム内の２つのMP3音楽ファイルMusic101.mp3とMusic102.mp3、及びArtist2というアーティストのMAlbum2というアルバム内の２つのMP3音楽ファイルが宣言されていることになる。
【００２６】
<MUSIC ALBUM>‥・<MUSIC ALBUM:END>間では、音楽アルバムIDを宣言する。本実施例では３つの音楽アルバムを宣言している。本実施例では、上記２つのアルバムを音楽ファイルIDを使用して音楽アルバムID MA000001とMA000002の２つ定義し、更に別々のアルバムからお気に入りの音楽を1曲ずつ選択したユーザ定義の音楽アルバムID MA000003の１つ、合計３つの音楽アルバムを定義している。
【００２７】
<PHOTO>‥・<PHOTO:END>間では、画像ファイルIDを宣言する。本実施例では６つの画像ファイルを宣言している。本実施例では、ホストコンピュータ（PC）からダウンロードした２つの画像アルバムPAlbum1とPAlbum2内のJPEG画像ファイル４つと、本装置１で撮影したDCIMフォルダ内のJPEG画像ファイル２つ、合計６つのJPEG画像ファイルを定義している。
【００２８】
<MUSIC:********>‥・<MUSIC:********:END>間では、ファイルパスやタイトル等の音楽ファイル詳細を定義する。本実施例の<MUSIC:M0000001>では、ファイル形式、音楽タイトル、アーティスト名、オリジナルの音楽作成日、音楽を圧縮して本装置１にコピーした日、及び２つの画像ファイルの関連付けを定義している。
【００２９】
<MUSIC ALBUM:********>‥・<MUSIC ALBUM:********:END>間では、音楽アルバムを構成する音楽ファイルやタイトル等の音楽アルバム詳細を定義する。本実施例の<MUSIC ALBUM:MA000001>では、アルバムタイトル、アーティスト名、音楽アルバム作成日、音楽アルバムを圧縮して本装置１にコピーした日、２つの音楽ファイルで構成されていていること、及び２つの画像ファイルの関連付けを定義している。
【００３０】
<PHOTO:********>‥・<PHOTO:********:END>間では、ファイルパスやタイトル等の画像ファイル詳細を定義する。本実施例の<PHOTO:P0000001>では、ファイルパス、ファイルタイプ、撮影日、及び画像ファイルをコピーした日（＝アルバムに登録した日）を定義している。
【００３１】
図５にCPU１０による関連付け処理のフローチャートを示す。
【００３２】
ステップS100で再生する音楽のPlay Listを選択する。これは、例えば図４の<MUSIC>で定義された全音楽ファイルIDについて<MUSIC:M*******>のTitleをLCD２２に表示して、選択/決定ボタン１８を使用して選択するとか、<MUSIC ALBUM>で定義された全音楽アルバムIDについて<MUSIC ALBUM:MA******>のTitleをLCD２２に表示して、選択/決定ボタン１８を使用して選択することで行う。
【００３３】
次にステップS101で選択された音楽ファイル又は音楽アルバムの中の１曲の再生を開始する。
【００３４】
例えば音楽アルバムの場合は、<MUSIC ALBUM>の“MA000001＝M0000001,M0000002;”の最初の曲“M0000001”から再生する。“M0000001 ”は<MUSIC:M0000001>内のファイルパス“Pass＝￥Music￥Artist1￥MAlbum1￥Music101.mp3;”からファイルを特定することができる。
【００３５】
ステップS102では、写真が撮影されたかを確認する。撮影はシャッタ２６が押されて撮像部１９から画像を入力し、ファイル管理部１３を通して記憶部１５にファイルを保存することで行う。
【００３６】
なお、撮影有無の確認は、シャッタ２６が押されたことか、記憶部１５にファイルが保存されたこと、或いはその中間処理のいずれで判断しても良い。
【００３７】
写真撮影が行われていなければ、ステップS106で音楽の再生が終了したかを確認し、再生が終了するまでステップS102の判断を繰り返す。
【００３８】
写真撮影が行われた場合は、ステップS103で音楽アルバム再生モードかを確認する。音楽アルバム再生モードか否かは、ステップS100で音楽ファイルと音楽アルバムのどちらが選択されたかで判断する。
【００３９】
音楽ファイル再生モードの場合は、ステップS105で再生中の音楽に撮影した画像を関連付ける。これは図４の<MUSIC:M0000001>中に“Photo＝P0000001, P0000002 ;” （この場合は２枚）のように記述することで行う。
【００４０】
音楽アルバム再生モードの場合は、上記関連付けの他に、ステップS104で再生中の音楽アルバムにも関連付ける。これは図４の<MUSIC ALBUM:MA000001>中に“Photo＝P0000001,P0000002 ;”のように記述することで行う。
【００４１】
ステップS107ではPlay Listに含まれる全ての音楽を再生したかを確認し、未再生の音楽が有ればステップS101以降を繰り返し、全ての音楽を再生した場合は、処理を終了する。
【００４２】
本実施例では、写真撮影時に、ユーザの操作無しで、管理ファイルを使用して音楽と画像の関連付けを自動的に行うことができる。
【００４３】
またPlay List選択時や再生時には管理リストを使用しているので、音楽再生時に容易に関連付けられた画像ファイルを特定・再生することができる。
【００４４】
本実施例では、音楽ファイルと音楽アルバムの両方に関連付けを行ったが、どちらか一方でも良い。
【００４５】
本実施例では、音楽ファイル管理リストで管理を行ったが、図６のように音楽&画像ファイル管理リストやデーターベースで行うようにしても良い。
【００４６】
音楽ファイル管理リストは図３のMusicL lstの用にルートディレクトリに保存し、１つのファイルで管理しても良いし、各アルバム（フォルダ）毎にサブ音楽ファイル管理リストを作成し、Music.lstに各アルバム（フォルダ）毎のサブ音楽ファイル管理リストヘのリンク情報を記述するようにしても良い。
【００４７】
音楽アルバム（フォルダ）に画像ファイルを関連付ける場合は、図３のPFile.lstのように対応するフォルダに関連付け音楽ファイルリストを保存し、PFile.lstには関連付けられた画像ファイルを図７のようにリスト書きするようにしても良い。
【実施例２】
【００４８】
図８及び図９は本発明の実施例２に係わり、図８は音楽ファイルの構成を示す図、図９は図８の音楽ファイルのタグの構成を示す図である。
【００４９】
実施例２は、実施例１とほとんど同じであるので、異なる点のみ説明し、同一の構成には同じ符号をつけ説明は省略する。
【００５０】
本実施例は、実施例１の関連付けを、音楽ファイルのタグで行う。すなわち、図８に示すように、音楽ファイルは音楽データ部と音楽情報を保持するタグ部がある（例えばMP3ならばID3タグというのが定義されている）。図９に音楽ファイルのタグの一部を示す。
【００５１】
本実施例では、図５のステップS105の代わりとして、或いはステップS105と併せて、例えば図９の従来からタグとして定義されているComment部分に“￥Photo￥PAlbum1￥Photo101.jpg”というように関連付ける画像のファイル名を記述する。またはタグに新規定義“Photo”を追加し、そこに“￥Photo￥PAlbum1￥Photo101.jpg”というように関連付ける画像のファイル名を記述するようにしても良い。
【００５２】
本実施例では、写真撮影時に、ユーザの操作無しで自動的に、音楽ファイルのタグを使用して音楽と画像の関連付けを行うことができる。
【００５３】
また、音楽ファイルに直接関連付けを記述するので、音楽ファイル再生時に管理リストを使用することなく容易に関連付けられた画像を特定・再生することができる。
【００５４】
本実施例では、音楽ファイルのタグで管理を行ったが、音楽ファイル管理リストや音楽&画像ファイル管理リスト又はデーターベースと組み合わせて管理するようにしても良い。
【実施例３】
【００５５】
図１０ないし図１２は本発明の実施例３に係わり、図１０は関連付け処理に用いられる画像ファイル管理リストを示す図、図１１は図１０の画像ファイル管理リストによる関連付け処理の流れを示すフローチャート、図１２は図１１の関連付け処理に用いられる関連付け音楽ファイルリストを示す図である。
【００５６】
実施例３は、実施例１とほとんど同じであるので、異なる点のみ説明し、同一の構成には同じ符号をつけ説明は省略する。
【００５７】
本実施例は、再生中の画像アルバムと、画像アルバムを再生しながら再生した音楽アルバムを関連付ける。関連付けは画像ファイル管理リストで行う。
【００５８】
図１０に画像ファイル管理リストを、図１１にフローチャートを示す。
【００５９】
図１１に示すように、ステップS110で再生する画像を選択する。これは、例えば図１０の<PHOTO>で定義された全画像ファイルIDについて<PHOTO:P*******>のTitleをLCD２２に表示して、選択/決定ボタン１８を使用して選択するとか、<PHOTO ALBUM>で定義された全画像アルバムIDについて<PHOTO ALBUM:PA******>のTitleをLCD２２に表示して、選択/決定ボタン１８を使用して選択することで行う。
【００６０】
次にステップS111で再生する音楽を選択する。これは、例えば図１０の<MUSIC ALBUM>で定義された全音楽アルバムIDについて<MUSIC ALBUM:MA******>のTitleをLCD２２に表示して、選択/決定ボタン１８を使用して選択することで行う。
【００６１】
ステップS112で選択した画像と音楽を関連付ける。例えば図１０の<PHOTO:P0000001>では「Music＝MA000001」と画像P0000001=Photo101.jpgに音楽アルバムMA000001が関連付けられている。また<PHOTO ALBUM:PA000001>では「Music＝MA000001 ， MA000002」と２つの音楽アルバムが関連付けられている。
【００６２】
ステップS113で画像と音楽の再生を開始する。ステップS114では再生する画像の変更要求が有るかを確認し、有ればステップS115でステップS110と同様に画像の選択を行い、ステップS116で画像の再生を開始、ステップS117でステップS112と同様に画像と音楽を関連付ける。
【００６３】
ステップS118では再生する音楽の変更要求が有るかを確認し、有ればステップS119でステップS111と同様に音楽の選択を行い、ステップS120で音楽の再生を開始、ステップS117でステップS112と同様に画像と音楽を関連付ける。
【００６４】
ステップS121では終了要求が有るかを確認し、有れば終了し、無ければステップS114に戻る。
【００６５】
本実施例では、画像と音楽の両方を再生する時に、ユーザの操作無しで、管理ファイルを使用して画像と音楽の関連付けを自動的に行うことができる。
【００６６】
また画像と音楽選択時や再生時には管理リストを使用しているので、再生時に容易に関連付けられた画像や音楽ファイルを特定・再生することができる。
【００６７】
本実施例では、画像ファイルと画像アルバムの両方に関連付けを行ったが、どちらか一方でも良い。
【００６８】
本実施例では、画像ファイル管理リストで管理を行ったが、図６のように音楽&画像ファイル管理リストやデーターベースで行うようにしても良い。
【００６９】
画像ファイル管理リストは図３のPhoto.lstの用にルートディレクトリに保存し、１つのファイルで管理しても良いし、各アルバム（フォルダ）毎にサブ画像ファイル管理リストを作成し、Photo.lstに各アルバム（フォルダ）毎のサブ画像ファイル管理リストヘのリンク情報を記述するようにしても良い。
【００７０】
画像アルバム（フォルダ）に音楽ファイルを関連付ける場合は、図３のMFile.lstのように対応するフォルダに関連付け音楽ファイルリストを保存し、MFile.lstには関連付けられた音楽ファイルを図１２のようにリスト書きするようにしても良い。
【実施例４】
【００７１】
図１３及び図１４は本発明の実施例４に係わり、図１３は画像ファイルの構成を示す図、図１４は図１３の画像ファイルのヘッダーの構成を示す図である。
【００７２】
実施例４は、実施例３とほとんど同じであるので、異なる点のみ説明し、同一の構成には同じ符号をつけ説明は省略する。
【００７３】
本実施例は、実施例３の関連付けを、画像ファイルのヘッダーで行う。図１３に画像ファイルの構成例を示す。
【００７４】
画像ファイルは画像データ部と縮小画像のサムネイル画像部と、画像情報を保持するヘッダー部がある（例えばEXIF JPEGならばEXIFヘッダーというのが定義されている）。
【００７５】
図１４に画像ファイルのヘッダーの一部を示す。
【００７６】
本実施例では、図１１のステップS112とステップS117の代わりとして、或いは併せて、例えば図１４の従来からヘッダーとして定義されているRelated Sound File部分に“￥Music￥Artist1￥MAlbum1￥Music101.mp3”とかMA000001というように関連付ける音楽のファイル/アルバム名を記述する。またはヘッダーに新規定義“Music File”を追加し、そこに関連付ける音楽のファイル/アルバム名を記述するようにしても良い。
【００７７】
本実施例では、画像と音楽の両方を再生する時に、ユーザの操作無しで、画像ファイルのヘッダーを使用して画像と音楽の関連付けを自動的に行うことができる。
【００７８】
また、画像ファイルに直接関連付けを記述するので、画像ファイル再生時に管理リストを使用することなく容易に関連付けられた画像を特定・再生することができる。
【００７９】
本実施例では、画像ファイルのヘッダー管理を行ったが、音楽ファイルのタグ、画像ファイル管理リストや音楽&画像ファイル管理リスト又はデーターベースと組み合わせて管理するようにしても良い。
【００８０】
本実施例では、画像ファイルと画像アルバムの両方に関連付けを行ったが、どちらか一方でも良い。
【００８１】
本実施例では、画像ファイル管理リストで管理を行ったが、図６のように音楽&画像ファイル管理リストやデーターベースで行うようにしても良い。
【実施例５】
【００８２】
図１５及び図１６は本発明の実施例５に係わり、図１５は関連付け処理に用いられる音楽ファイル管理リストを示す図、図１６は図１５の音楽ファイル管理リストによる関連付け処理の流れを示すフローチャートである。
【００８３】
実施例５は、実施例１とほとんど同じであるので、異なる点のみ説明し、同一の構成には同じ符号をつけ説明は省略する
本実施例では、実施例１の関連付けに、音楽の再生位置情報を追加する。図１５に音楽ファイル管理リスト（再生位置情報付）を示す。
【００８４】
本実施例では、実施例１と同様に音楽再生中に撮影した画像を音楽ファイルに関連付けるが、この時に、音楽ファイルの再生位置情報（再生時間）を一緒に関連付けている。
【００８５】
図１６に、音楽を１曲再生しながら撮影した画像を、再生位置を含めて関連付けるフローチャートを示す。
【００８６】
ステップS130で再生する音楽を選択する。ステップS131で最後に撮影した画像を関連付けるかを確認し、Yesの場合は、ステップS132で再生位置情報を０分０秒として関連付ける。
【００８７】
ステップS133で音楽をの再生を開始する。ステップS134で写真を撮影したかを確認し、Yesの場合は、ステップS135で再生位置情報を現在の再生時間として関連付ける。
【００８８】
ステップS136で音楽の再生が終了したかを確認し、終了するまでステップS134〜ステップS136を繰り返す。
【００８９】
本実施例では、音楽ファイルの再生位置情報（再生時間）を−緒に関連付けているので、ユーザが撮影を行ったタイミングで撮影した画像を再生することができる。
【００９０】
本実施例では、音楽再生開始時に表示する画像として、音楽撮影開始前に撮影した画像を関連付けている。
【００９１】
これは例えば、ユーザが音楽のタイトルやアーティスト等を事前に撮影し、それを最初に関連付けて、次回音楽を再生する場合は、そのタイトルやアーティスト等が表示されるようにすることができる。
【００９２】
このような処理を行わない場合（ステップS131〜ステップS132が無い場合）や、ステップS131でNoとした場合は、最初に撮影した画像を音楽再生開始時から表示するようにしても良い。
【００９３】
さらにに、各画像の表示効果（ズームイン・アウト、移動、半透明、変形、等）を関連付けるようにすれば、楽しみのある画像表示を行うことができる。例えば、
Photo＝P0000004,02:45,Top to Bottom;
↑
再生時間２分４５秒に関連付けられた画像ファイル
上方から下方に移動して表示
この表示効果は、撮影後にユーザが設定しても良いし、カメラが自動的にランダムに設定しても良いし、事前にユーザが使用する効果を１つ又は複数選択しておいて、その選択に従って設定しても良い。
【００９４】
本発明は、上述した実施例に限定されるものではなく、本発明の要旨を変えない範囲において、種々の変更、改変等が可能である。
【図面の簡単な説明】
【００９５】
【図１】本発明の実施例１に係るデジタルカメラ（DSC）付Music Playerの構成を示すブロック図
【図２】図１のデジタルカメラ（DSC）付Music Playerの背面の構成を示す図
【図３】図１の記憶部のメモリ構成を示す図
【図４】図１のCPUによる関連付け処理に用いられる音楽ファイル管理リストを示す図
【図５】図１のCPUによる関連付け処理の流れを示すフローチャート
【図６】図５の関連付け処理に用いられる音楽&画像ファイル管理リストを示す図
【図７】図５の関連付け処理に用いられる関連付け画像ファイルリストを示す図
【図８】本発明の実施例２に係る音楽ファイルの構成を示す図
【図９】図８の音楽ファイルのタグの構成を示す図
【図１０】本発明の実施例３に係る関連付け処理に用いられる画像ファイル管理リストを示す図
【図１１】図１０の画像ファイル管理リストによる関連付け処理の流れを示すフローチャート
【図１２】図１１の関連付け処理に用いられる関連付け音楽ファイルリストを示す図
【図１３】本発明の実施例４に係る画像ファイルの構成を示す図
【図１４】図１３の画像ファイルのヘッダーの構成を示す図
【図１５】本発明の実施例５に係る関連付け処理に用いられる音楽ファイル管理リストを示す図
【図１６】図１５の音楽ファイル管理リストによる関連付け処理の流れを示すフローチャート
【符号の説明】
【００９６】
１…デジタルカメラ（DSC）付Music Player（本装置）
１０…CPU
１１…ROM
１２…RAM
１３…ファイル管理部
１４…ファイル関連付け部
１５…記憶部
１６…音ファイル管理リスト
１７…画像ファイル管理リスト
１８…選択/決定ボタン
１９…撮像部
２０…マイク
２１…ホストI/F
２２…LCD 
２３…TV出力
２４…スピーカ
２５…イヤホン
２６…シャッタ
２７…POWER LED
代理人    弁理士    伊藤  進
【図１】
2006020090.tif 000003
【図２】
2006020090.tif 000004
【図３】
2006020090.tif 000005
【図４】
2006020090.tif 000006
【図５】
2006020090.tif 000007
【図６】
2006020090.tif 000008
【図７】
2006020090.tif 000009
【図８】
2006020090.tif 000010
【図９】
2006020090.tif 000011
【図１０】
2006020090.tif 000012
【図１１】
2006020090.tif 000013
【図１２】
2006020090.tif 000014
【図１３】
2006020090.tif 000015
【図１４】
2006020090.tif 000016
【図１５】
2006020090.tif 000017
【図１６】
2006020090.tif 000018